(57)【特許請求の範囲】
【請求項１】
木造軸組構造の建物の柱と横架材と筋交との３者を接合具により相互に締結する金物であって、前記柱と横架材と筋交との集合部全面に接合し得る大きさに形成され、かつ、接合具用の多数の下孔が前記集合部全面に対応して分散配置された平板状の接合板と、この接合板の縁部から略直角に屈曲して横架材の上面または下面に当接可能な当接片とを有し、
前記接合板には、柱と接合する位置に前記接合板の外面側から柱に面材を釘打ち可能とする長孔が形成され、この長孔から所定間隔離れた横架材と接合する位置に前記接合板の外面側から横架材に前記面材を釘打ち可能とする長孔または切欠きが形成されていることを特徴とする建築用締結金物。
【請求項２】
前記当接片には、横架材としての土台と基礎との間に空隙を形成するスペーサ突起が形成されていることを特徴とする請求項１に記載の建築用締結金物。
【発明の詳細な説明】
【０００１】
【発明の属する技術分野】
本発明は、木造軸組構造の建物の耐震構造として、柱と横架材と筋交との３者を締結する建築用締結金物に関するものである。
【０００２】
【従来の技術】
木造軸組構造の建物の耐震構造として、図１５、図１６に示すように、柱Ａと土台Ｂと筋交Ｃとの集合部、および、柱Ａと胴差Ｄと筋交Ｃとの集合部を締結金物で相互に締結した筋交耐力壁の構造が知られている。
【０００３】
図１５に示す筋交耐力壁において、柱Ａと土台Ｂと筋交Ｃとの集合部には、これらを釘打ちにより相互に締結する筋交プレートＥと、柱Ａと土台Ｂとを釘打ちにより締結する山形プレートＦとが併用されている。同様に、柱Ａと胴差Ｄと筋交Ｃとの集合部には、これらを相互に締結する前記筋交プレートＥと、柱Ａと胴差Ｄとを締結するかね折り金物Ｇとが併用されている。
【０００４】
また、図１６に示す筋交耐力壁においては、筋交Ｃを柱Ａおよび土台Ｂに釘またはネジ等の接合具により相互に締結する１つの箱形金物Ｈが使用されている。この箱形金物Ｈは、柱Ａの側面および土台Ｂの上面に接合される２つの接合片Ｈ１，Ｈ２が筋交Ｃの正面に接合される本体部分Ｈ３の縁部に略直角に折曲げ形成された金物であり、柱Ａと胴差（図示省略）と筋交Ｃとを相互に締結する場合にも使用される。
【０００５】
一方、木造軸組構造の建物の床下換気構造として、図１７に示すように、コンクリート基礎Ｉと土台Ｂとの間にスペーサＪを介設した猫土台構造が知られている。前記スペーサＪは、脚部を有する板状に形成されており、コンクリート基礎Ｉの長手方向に所定間隔で配置されることにより、コンクリート基礎Ｉと土台Ｂとの間に１５ｍｍ程度の隙間を形成する。
【０００６】
【発明が解決しようとする課題】
ところで、図１５に示した筋交プレートＥは、例えば、筋交Ｃを中心に柱Ａの側部と土台Ｂの上部に亘って接合される比較的小さいプレートであって、柱Ａおよび土台Ｂに対する釘打ちの縁距離が短い。このため、筋交プレートＥを使用した接合構造においては、柱Ａや土台Ｂの割裂を招く虞があり、接合強度も低いという問題がある。また、山形プレートＦやかね折り金物Ｇと併用する必要があり、締結作業が煩雑となる不都合がある。
【０００７】
また、図１５に示した筋交耐力壁において、その外面側から柱Ａと土台Ｂおよび胴差Ｄに亘って面材を釘打ちする際には、図１８に示すように、面材Ｋのコーナ部分を切欠き、その付近に釘を増し打ちする必要がある。従って、面材の釘打ち作業に手間が掛かるという問題がある。
【０００８】
一方、図１６に示した箱形金物Ｈにおいては、本体部分Ｈ３を筋交Ｃに接合する接合具の方向と、接合片Ｈ１を柱Ａに接合する接合具の方向と、接合片Ｈ２を土台Ｂに接合する接合具の方向とが相互に直交している。このため、地震や台風などによって壁体が傾斜し、柱Ａおよび筋交Ｃに引抜力が加わった場合には、接合片Ｈ１を柱Ａに接合する接合具、および、接合片Ｈ２を土台Ｂに接合する接合具に引抜き力が加わる。接合具の引抜抵抗力は剪断抵抗力よりも低いため、このような箱形の金物に一定の外力が加わると接合具が緩み、柱Ａおよび筋交Ｃが当初の初期位置に戻った際にも、柱Ａと横架材との間に隙間ができ、エネルギー吸収性が低くなって脆性的な破壊形態となりやすい。
【０００９】
また、図１５に示した筋交プレートＥや図１６に示した箱形金物Ｈは、単に筋交Ｃを柱Ａおよび土台Ｂに接合する機能しか備えていないので、床下換気を図るためには、図１７に示したスペーサＪが別途に必要となる。
【００１０】
そこで、本発明は、木造軸組構造の建物の柱と横架材と筋交との３者を効率的に強固に締結することができる建築用締結金物を提供することを第１の目的とする。また、面材を柱と横架材に亘って容易に釘打ち可能とする建築用締結金物を提供することを第２の目的とする。さらに、別途のスペーサを使用することなく、床下換気構造が得られる建築用締結金物を提供することを第３の目的とする。
【００１１】
【課題を解決するための手段】
第１の目的および第２の目的を達成するため、第１の発明においては、木造軸組構造の建物の柱と横架材と筋交との３者を接合具により相互に締結する金物であって、前記柱と横架材と筋交との集合部全面に接合し得る大きさに形成され、かつ、接合具用の多数の下孔が前記集合部全面に対応して分散配置された平板状の接合板と、この接合板の縁部から略直角に屈曲して横架材の上面または下面に当接可能な当接片とを有し、
接合板には、柱と接合する位置に接合板の外面側から柱に面材を釘打ち可能とする長孔が形成され、この長孔から所定間隔離れた横架材と接合する位置に接合板の外面側から横架材に面材を釘打ち可能とする長孔または切欠きが形成されている構造の建築用締結金物を構成した。
【００１２】
第１の発明によれば、当接片を横架材の上面または下面に当接させ、平板状の接合板を柱と横架材と筋交との集合部全面に添わせて多数の下孔に釘打ち等することにより、接合片は、柱や土台の割裂を招くことなく、柱と横架材と筋交とを一体化して強固に接合する。また、当接片は、地震や台風などによって発生する柱および筋交の引抜力を横架材の上面または下面に圧縮荷重として伝達する。
【００１４】
また、第１の発明によれば、接合板に形成された長孔または切欠きの位置に釘打ちすることにより、面材は、釘を増し打ちすることなく柱と横架材に亘って一定間隔で容易に釘打ちされる。
【００１５】
さらに、第３の目的を達成するため、第２の発明においては、前記当接片に、横架材としての土台と基礎との間に空隙を形成するスペーサ突起が形成された構造の建築用締結金物を構成した。
【００１６】
第２の発明によれば、当接片を土台と基礎との間に設置することにより、当接片に形成されたスペーサ突起が土台と基礎との間に空隙を形成する。
【００１７】
【発明の実施の形態】
次に、図面を参照して本発明に係る建築用締結金物の実施形態を説明する。
【００１８】
図１は第１実施形態の建築用締結金物の展開図、図２は第１実施形態の建築用締結金物の使用状態を示す正面図である。この第１実施形態の建築用締結金物は、図１に符号１で示すように、釘や木ネジといった接合具用の多数の下孔１Ａが形成された接合板１Ｂと、この接合板１Ｂの下縁部から略直角に屈曲する当接片１Ｃとを有している。この建築用締結金物１は、図２に示すように、柱Ａと横架材としての土台Ｂと筋交Ｃとの３者を相互に締結する金物であって、例えば、厚さ１．６ｍｍの鋼板（ＳＧＨＣ）または厚さ０．８ｍｍのステンレス鋼板（ＳＵＳ３０４）で構成されている。
【００１９】
前記接合板１Ｂは、柱Ａと土台Ｂと筋交Ｃとの集合部全面に接合し得る大きさに形成されている。すなわち、左辺が柱Ａの左側縁に沿い、下辺が土台Ｂの下縁に沿う縦３３０ｍｍ、横２５０ｍｍ程度の長方形の右辺下方を筋交Ｃの傾斜にほぼ沿って切り欠かいた形状に形成されている。
【００２０】
前記多数の下孔１Ａは、孔径が６ｍｍであって、柱Ａと土台Ｂと筋交Ｃとの集合部全面に釘打ち等が可能なように、接合板１Ｂ上に分散配置されている。また、前記当接片１Ｃは、接合板１Ｂの下縁部からの突出長が３０ｍｍ程度であって、両端が斜めに切り欠かれている。
【００２１】
また、前記接合板１Ｂには、その外面側から柱Ａと土台Ｂに亘って面材（図示省略）を釘打ち可能とする縦長孔１Ｄおよび横長孔１Ｅが形成されている。縦長孔１Ｄは、孔幅が２０ｍｍ、孔長が５０ｍｍであって、柱Ａの例えば右側部に対面して配置されている。また、横長孔１Ｅは、孔幅が２０ｍｍ、孔長が５０ｍｍであって、土台Ｂの上側部に対面して配置されている。そして、縦長孔１Ｄの中心と横長孔１Ｅの中心との垂直距離は、面材の釘打ち間隔の基準寸法である１５０ｍｍに設定されている。
【００２２】
以上のように構成された第１実施形態の建築用締結金物１を使用する場合、コンクリート基礎Ｉの上面に当接片１Ｃを設置し、これをコンクリート基礎Ｉと土台Ｂとの間に挟持させる。そして、接合板１Ｂを柱Ａと土台Ｂと筋交Ｃとの集合部全面に添わせ、多数の下孔１Ａに釘打ちまたは木ネジをねじ込む。
【００２３】
このような建築用締結金物１の施工状態において、接合板１Ｂは、下孔１Ａが分散配置されているため柱Ａや土台Ｂの割裂を招くことなく、柱Ａと土台Ｂと筋交Ｃとを強固に接合する。また、当接片１Ｃは、地震や台風などによって発生する柱Ａおよび筋交Ｃの引抜力を土台Ｂの下面およびコンクリート基礎Ｉの上面に圧縮荷重として伝達する。従って、第１実施形態の建築用締結金物１によれば、柱Ａと土台Ｂと筋交Ｃとの３者を靱性のある強度特性をもって強固に締結することができる。また、この建築用締結金物１は、他の締結金物を併用する必要がないため、柱Ａと土台Ｂと筋交Ｃとの３者を効率的に締結することができる。
【００２４】
また、建築用締結金物１の外面側から柱Ａと土台Ｂおよび胴差（図示省略）に亘って面材（図示省略）を釘打ちする場合、接合板１Ｂに形成された縦長孔１Ｄおよび横長孔１Ｅの位置に釘打ちすることにより、釘を増し打ちすることなく、面材（図示省略）を柱Ａと土台Ｂに亘って一定間隔で容易に釘打ちすることができる。この場合、厚さ０．８ｍｍのステンレス鋼板製の建築用締結金物１を使用することにより、面材（図示省略）と柱Ａおよび土台Ｂとの隙間を小さくすることができ、外装材を貼った際にその凹凸を少なくすることが出来る。
【００２５】
図３は第２実施形態の建築用締結金物の展開図、図４は第２実施形態の建築用締結金物の使用状態を示す正面図である。この第２実施形態の建築用締結金物は、図３に符号２で示すように、釘打ち用の多数の下孔２Ａが形成された接合板２Ｂと、この接合板２Ｂの下縁部から略直角に屈曲する当接片２Ｃとを有している。この建築用締結金物２は、図４に示すように、柱Ａと土台Ｂと左右の筋交Ｃ，Ｃとを相互に締結する金物であって、前述と同様の鋼板またはステンレス鋼板で構成されている。
【００２６】
前記接合板２Ｂは、柱Ａと土台Ｂと筋交Ｃ，Ｃとの集合部全面に接合し得る大きさ、すなわち、下辺が土台Ｂの下縁に沿う縦３３０ｍｍ、横４００ｍｍ程度の長方形の左右両辺下方を筋交Ｃ，Ｃの傾斜にほぼ沿って切り欠かいた形状に形成されている。
【００２７】
また、前記接合板２Ｂには、その外面側から柱Ａと土台Ｂに亘って面材（図示省略）を釘打ち可能とする縦長孔２Ｄ，２Ｄおよび横長孔２Ｅが形成されている。縦長孔２Ｄ，２Ｄは、孔幅が２０ｍｍ、孔長が５０ｍｍであって、柱Ａの左右両側部に対面して配置されている。また、横長孔２Ｅは、孔幅が２０ｍｍ、孔長が１００ｍｍであって、土台Ｂの上側部に対面して配置されている。そして、縦長孔２Ｄ，２Ｄの中心と横長孔２Ｅの中心との垂直距離は、面材の釘打ち間隔の基準寸法である１５０ｍｍに設定されている。
【００２８】
なお、多数の下孔２Ａは、柱Ａと土台Ｂと筋交Ｃ，Ｃとの集合部全面に釘打ち可能なように、接合板２Ｂ上に分散配置されている。また、前記当接片２Ｃは、接合板２Ｂの下縁部からの突出長が３０ｍｍ程度であって、両端が斜めに切り欠かれている。
【００２９】
以上のように構成された第２実施形態の建築用締結金物２は、前述した第１実施形態の建築用締結金物１と同様の手順で施工される。そして、この施工状態において、第２実施形態の建築用締結金物２は、第１実施形態の建築用締結金物１と同様に、柱Ａと土台Ｂと筋交Ｃ，Ｃとを靱性のある強度特性をもって強固に、かつ、効率的に締結する。また、建築用締結金物２の外面側から面材（図示省略）を柱Ａと土台Ｂに亘って容易に釘打ち可能とする。
【００３０】
図５は第１実施形態の建築用締結金物の他の使用状態を示す正面図である。この図５は、図１に示した第１実施形態の建築用締結金物１を柱Ａと胴差Ｄと筋交Ｃとの集合部に適用した施工状態を示しており、当接片１Ｃは、胴差Ｄの上面に当接している。このような施工状態において、建築用締結金物１は、柱Ａと胴差Ｄと筋交Ｃとを靱性のある強度特性をもって強固に、かつ、効率的に締結することができる。また、建築用締結金物１の外面側から面材（図示省略）を柱Ａと胴差Ｄに亘って容易に釘打ち可能とする。
【００３１】
図６は第２実施形態の建築用締結金物の他の使用状態を示す正面図である。この図６は、図３に示した第２実施形態の建築用締結金物２を柱Ａと胴差Ｄと筋交Ｃ，Ｃとの集合部に適用した施工状態を示しており、当接片２Ｃは、胴差Ｄの上面に当接している。このような施工状態において、建築用締結金物２は、柱Ａと胴差Ｄと筋交Ｃ，Ｃとを靱性のある強度特性をもって強固に、かつ、効率的に締結することができる。また、建築用締結金物２の外面側から面材（図示省略）を柱Ａと胴差Ｄに亘って容易に釘打ち可能とする。
【００３２】
図７は第３実施形態の建築用締結金物の展開図、図８は第３実施形態の建築用締結金物の使用状態を示す正面図である。この第３実施形態の建築用締結金物は、図７に符号３で示すように、釘打ち用の多数の下孔３Ａが形成された接合板３Ｂと、この接合板３Ｂの下縁部から略直角に屈曲する当接片３Ｃとを有している。この建築用締結金物３は、図８に示すように、土台Ｂが直交する部位において柱Ａと土台Ｂと筋交Ｃとを相互に締結する金物であって、前述と同様の鋼板またはステンレス鋼板で構成されている。
【００３３】
前記接合板３Ｂは、柱Ａと土台Ｂと筋交Ｃとの集合部全面に接合し得る大きさ、すなわち、左辺が柱Ａの左側縁に沿い、下辺が土台Ｂの下縁に沿う縦３３０ｍｍ、横２５０ｍｍ程度の長方形の左下部に、直交する土台Ｂとの干渉を避けるためのＬ字形の切欠き３Ｅを設けた形状に形成されている。
【００３４】
また、前記接合板３Ｂには、その外面側から柱Ａと土台Ｂに亘って面材（図示省略）を釘打ち可能とする縦長孔３Ｄが形成されている。縦長孔３Ｄは、孔幅が２０ｍｍ、孔長が５０ｍｍであって、柱Ａの右側部に対面して配置されている。なお、多数の下孔３Ａは、柱Ａと土台Ｂと筋交Ｃとの集合部全面に釘打ち等が可能なように、接合板３Ｂ上に分散配置されている。また、当接片３Ｃは、接合板３Ｂの下縁部からの突出長が３０ｍｍ程度であって、両端が斜めに切り欠かれている。
【００３５】
以上のように構成された第３実施形態の建築用締結金物３は、前述した第１実施形態の建築用締結金物１と同様の手順で施工される。そして、この施工状態において、第３実施形態の建築用締結金物２は、第１実施形態の建築用締結金物１と同様に、柱Ａと土台Ｂと筋交Ｃとを靱性のある強度特性をもって強固に、かつ、効率的に締結する。また、建築用締結金物３の外面側から面材（図示省略）を柱Ａと土台Ｂに亘って容易に釘打ち等を可能とする。なお、この第３の実施形態の建築用締結金物３は、胴差が直交する部位において、柱Ａと胴差と筋交Ｃとを相互に締結することもできる。
【００３６】
図９は第４実施形態の建築用締結金物の展開図、図１０は第４実施形態の建築用締結金物の使用状態を示す正面図である。この第４実施形態の建築用締結金物は、図９に符号４で示すように、釘打ち用の多数の下孔４Ａが形成された接合板４Ｂと、この接合板４Ｂの下縁部から略直角に屈曲する左右の当接片４Ｃとを有している。この建築用締結金物４は、図１０に示すように、土台Ｂが直交する部位において柱Ａと土台Ｂと左右の筋交Ｃ，Ｃとを相互に締結する金物であって、前述と同様の鋼板またはステンレス鋼板で構成されている。
【００３７】
前記接合板４Ｂは、柱Ａと土台Ｂと筋交Ｃ，Ｃとの集合部全面に接合し得る大きさ、すなわち、下辺が土台Ｂの下縁に沿う縦３３０ｍｍ、横４００ｍｍ程度の長方形の下部中央に、直交する土台Ｂとの干渉を避けるための門形の切欠き４Ｅを設けた形状に形成されている。
【００３８】
また、前記接合板４Ｂには、その外面側から柱Ａと土台Ｂに亘って面材（図示省略）を釘打ち可能とする縦長孔４Ｄ，４Ｄが形成されている。縦長孔４Ｄ，４Ｄは、孔幅が２０ｍｍ、孔長が５０ｍｍであって、柱Ａの左右両側部に対面して配置されている。なお、多数の下孔４Ａは、柱Ａと土台Ｂと筋交Ｃ，Ｃとの集合部全面に釘打ち等が可能なように、接合板４Ｂ上に分散配置されている。また、左右の当接片４Ｃは、接合板４Ｂの下縁部からの突出長が３０ｍｍ程度であって、それぞれ両端が斜めに切り欠かれている。
【００３９】
以上のように構成された第４実施形態の建築用締結金物４は、前述した第２実施形態の建築用締結金物２と同様の手順で施工される。そして、この施工状態において、第４実施形態の建築用締結金物４は、第２実施形態の建築用締結金物２と同様に、柱Ａと土台Ｂと筋交Ｃ，Ｃとを靱性のある強度特性をもって強固に、かつ、効率的に締結する。また、建築用締結金物４の外面側から面材（図示省略）を柱Ａと土台Ｂに亘って容易に釘打ち可能とする。なお、この第４の実施形態の建築用締結金物４は、胴差が直交する部位において、柱Ａと胴差と左右の筋交Ｃ，Ｃとを相互に締結することもできる。
【００４０】
図１１は第５実施形態の建築用締結金物の展開図、図１２は第５実施形態の建築用締結金物の使用状態を示す正面図である。この第５実施形態の建築用締結金物は、図１１に符号５で示すように、釘打ち用の多数の下孔５Ａが形成された接合板５Ｂと、この接合板５Ｂの下縁部から略直角に屈曲する当接片５Ｃとを有している。また、接合板５Ｂには、その外面側から柱Ａと土台Ｂに亘って面材（図示省略）を釘打ち可能とする縦長孔５Ｄおよび横長孔５Ｅが形成されている。以上の構成は、前述した第１実施形態の建築用締結金物１と同様であるから、詳細な説明は省略する。
【００４１】
第５実施形態の建築用締結金物５においては、図１２に示すように、床下換気構造を得るため、土台Ｂとコンクリート基礎Ｉとの間に空隙Ｌを形成する複数のスペーサ突起５Ｆが当接片５Ｃに形成されている。スペーサ突起５Ｆは、当接片５Ｃの幅方向に３列に、突出方向に２列に配置して合計６個形成されている。各スペーサ突起５Ｆは、基端部の直径が２５ｍｍ、突出長が１５ｍｍ程度である。
【００４２】
以上のように構成された第５実施形態の建築用締結金物５は、前述した第１実施形態の建築用締結金物１と同様の手順で施工される。そして、この施工状態において、第５実施形態の建築用締結金物５は、第１実施形態の建築用締結金物１と同様に、柱Ａと土台Ｂと筋交Ｃとを靱性のある強度特性をもって強固に、かつ、効率的に締結する。また、建築用締結金物５の外面側から面材（図示省略）を柱Ａと土台Ｂに亘って容易に釘打ち可能とする。
【００４３】
そして、第５実施形態の建築用締結金物５は、当接片５Ｃに形成された各スペーサ突起５Ｆが土台Ｂとコンクリート基礎Ｉとの間に１５ｍｍ程度の空隙Ｌを形成するため、別途のスペーサを使用することなく、床下換気構造を構成する。
【００４４】
図１３は第６実施形態の建築用締結金物の展開図、図１４は第６実施形態の建築用締結金物の使用状態を示す正面図である。この第６実施形態の建築用締結金物は、図１３に符号６で示すように、釘打ち用の多数の下孔６Ａが形成された接合板６Ｂと、この接合板６Ｂの下縁部から略直角に屈曲する当接片６Ｃとを有している。また、接合板６Ｂには、その外面側から柱Ａと土台Ｂに亘って面材（図示省略）を釘打ち可能とする縦長孔６Ｄ，６Ｄおよび横長孔６Ｅが形成されている。以上の構成は、前述した第２実施形態の建築用締結金物２と同様であるから、詳細な説明は省略する。
【００４５】
第６実施形態の建築用締結金物６においては、図１４に示すように、床下換気構造を得るため、土台Ｂとコンクリート基礎Ｉとの間に空隙Ｌを形成する複数のスペーサ突起６Ｆが当接片６Ｃに形成されている。スペーサ突起６Ｆは、当接片６Ｃの幅方向に４列に、突出方向に２列に配置して合計８個形成されている。各スペーサ突起６Ｆは、基端部の直径が２５ｍｍ、突出長が１５ｍｍ程度である。
【００４６】
以上のように構成された第６実施形態の建築用締結金物６は、前述した第２実施形態の建築用締結金物２と同様の手順で施工される。そして、この施工状態において、第６実施形態の建築用締結金物６は、第２実施形態の建築用締結金物２と同様に、柱Ａと土台Ｂと筋交Ｃ，Ｃとを靱性のある強度特性をもって強固に、かつ、効率的に締結する。また、建築用締結金物５の外面側から面材（図示省略）を柱Ａと土台Ｂに亘って容易に釘打ち可能とする。
【００４７】
そして、第６実施形態の建築用締結金物６は、当接片６Ｃに形成された各スペーサ突起６Ｆが土台Ｂとコンクリート基礎Ｉとの間に１５ｍｍ程度の空隙Ｌを形成するため、別途のスペーサを使用することなく、床下換気構造を構成する。
【００４８】
【発明の効果】
以上説明したように、第１および第２の発明に係る建築用締結金物によれば、当接片を横架材の上面または下面に当接させ、平板状の接合板を柱と横架材と筋交との集合部全面に添わせて多数の下孔に釘打ち等することにより、接合片は、柱や土台の割裂を招くことなく、柱と横架材と筋交とを強固に接合する。また、当接片は、地震や台風などによって発生する柱および筋交の引抜力を横架材の上面または下面に圧縮荷重として伝達する。従って、柱と横架材と筋交との３者を靭性のある強度特性をもって強固に締結することができる。この建築用締結金物は、他の締結金物を併用する必要がないため、柱と横架材と筋交との３者を効率的に締結することができる。
【００４９】
また、第１の発明に係る建築用締結金物によれば、接合板に形成された長孔または切欠きの位置に釘打ちすることにより、釘を増し打ちすることなく、面材を柱と横架材に亘って一定間隔で容易に釘打ちすることができる。
【００５０】
さらに、第２の発明に係る建築用締結金物によれば、当接片を土台と基礎との間に設置することにより、当接片に形成されたスペーサ突起が土台と基礎との間に空隙を形成するため、別途のスペーサを使用することなく、床下換気構造が得られる。
【図面の簡単な説明】
【図１】本発明の第１実施形態の建築用締結金物の展開図である。
【図２】第１実施形態の建築用締結金物の使用状態を示す正面図である。
【図３】第２実施形態の建築用締結金物の展開図である。
【図４】第２実施形態の建築用締結金物の使用状態を示す正面図である。
【図５】第１実施形態の建築用締結金物の他の使用状態を示す正面図である。
【図６】第２実施形態の建築用締結金物の他の使用状態を示す正面図である。
【図７】第３実施形態の建築用締結金物の展開図である。
【図８】第３実施形態の建築用締結金物の使用状態を示す正面図である。
【図９】第４実施形態の建築用締結金物の展開図である。
【図１０】第４実施形態の建築用締結金物の使用状態を示す正面図である。
【図１１】第５実施形態の建築用締結金物の展開図である。
【図１２】第５実施形態の建築用締結金物の使用状態を示す正面図である。
【図１３】第６実施形態の建築用締結金物の展開図である。
【図１４】第６実施形態の建築用締結金物の使用状態を示す正面図である。
【図１５】木造軸組構造の建物の筋交耐力壁に使用される従来の筋交プレート、山形プレート、かね折り金物を示す正面図である。
【図１６】木造軸組構造の建物の筋交耐力壁に使用される従来の箱形金物を示す斜視図である。
【図１７】木造軸組構造の建物の床下換気構造に使用される従来のスペーサの側面図である。
【図１８】木造軸組構造の建物の筋交耐力壁に釘打ちされる面材の正面図である。
【符号の説明】
１，２，３，４，５，６…建築用締結金物
１Ａ，２Ａ，３Ａ，４Ａ，５Ａ，６Ａ…下孔
１Ｂ，２Ｂ，３Ｂ，４Ｂ，５Ｂ，６Ｂ…接合板
１Ｃ，２Ｃ，３Ｃ，４Ｃ，５Ｃ，６Ｃ…当接片
１Ｄ，２Ｄ，３Ｄ，４Ｄ，５Ｄ，６Ｄ…縦長孔
１Ｅ，２Ｅ，５Ｅ，６Ｅ…横長孔
３Ｅ，４Ｅ…切欠き
５Ｆ，６Ｆ…スペーサ突起
Ａ  …柱
Ｂ  …土台
Ｃ  …筋交
Ｄ  …胴差
Ｉ  …コンクリート基礎
Ｋ  …面材
Ｌ  …空隙
【図１】
0004113939.tif 000002
【図２】
0004113939.tif 000003
【図３】
0004113939.tif 000004
【図４】
0004113939.tif 000005
【図５】
0004113939.tif 000006
【図６】
0004113939.tif 000007
【図７】
0004113939.tif 000008
【図８】
0004113939.tif 000009
【図９】
0004113939.tif 000010
【図１０】
0004113939.tif 000011
【図１１】
0004113939.tif 000012
【図１２】
0004113939.tif 000013
【図１３】
0004113939.tif 000014
【図１４】
0004113939.tif 000015
【図１５】
0004113939.tif 000016
【図１６】
0004113939.tif 000017
【図１７】
0004113939.tif 000018
【図１８】
0004113939.tif 000019